(57)【要約】      （修正有）【課題】擬似増毛材の吐出量のムラを抑制するとともに、自分自身で擬似増毛材の散布を行った場合であっても、局所的に頭部頭髪の薄くなった部分（特に、目視出来ない部分や髪の生え際等）に確実且つ容易に振り掛けることでき、作業性や増毛効果を十分に期待することができる櫛付キャップ、ブラシ付キャップ、並びにヘアーブラシを提供する。【解決手段】容器の吐出部に装着され、且つ擬似増毛材が混入されたガスの案内流路４を形成するキャップ部３と、櫛歯部２を備え、且つブラシ毛の櫛歯部２における対向空間部に、擬似増毛材を散布する突出した散布口３０を形成する。【選択図】図２（ａ）
2007175371.tif 000002
【特許請求の範囲】
【請求項１】
擬似増毛材を収納する容器の吐出部に装着される櫛付キャップであって、
前記容器の吐出部に装着され、且つ前記擬似増毛材の案内流路を形成するキャップ部と、前記キャップ部と連通した櫛歯部とを備え、前記櫛歯部に多数の櫛歯が立設され、且つ前記櫛歯の先端及び／又は両側面に少なくとも１つ以上の擬似増毛材を散布する散布口が開口形成され、前記櫛歯の内部に、前記案内流路から前記散布口へ連通する散布流路が形成されている櫛付キャップ。
【請求項２】
前記散布口の大きさが、直径換算で０．０１〜３０ｍｍである請求項１に記載の櫛付キャップ。
【請求項３】
前記櫛歯の両側面に開口形成された散布口の角度が、被散布対象物に対して、１０〜１５０゜である請求項１又は２に記載の櫛付キャップ。
【請求項４】
前記櫛歯が、前記櫛歯部と一体及び／又は別体で植設されている請求項１〜３のいずれか１項に記載の櫛付キャップ。
【請求項５】
擬似増毛材を収納する容器の吐出部に装着される櫛付キャップであって、
前記容器の吐出部に装着され、且つ前記擬似増毛材の案内流路を形成するキャップ部と、前記キャップ部と連通した櫛歯部とを備え、前記櫛歯部に多数の櫛歯が立設され、且つ前記櫛歯の前記櫛歯部における対向空間部に、前記擬似増毛材を散布する散布口が開口形成されている櫛付キャップ。
【請求項６】
前記散布口の大きさが、直径換算で０．０１〜３０ｍｍである請求項５に記載の櫛付キャップ。
【請求項７】
前記散布口が、前記櫛歯部に平坦及び／又は突出している請求項５又は６に記載の櫛付キャップ。
【請求項８】
前記散布口が、前記櫛歯部から０．０１〜４０ｍｍ突出している請求項５〜７のいずれか１項に記載の櫛付キャップ。
【請求項９】
擬似増毛材を収納する容器の吐出部から擬似増毛材を散布する散布口までの擬似増毛材の供給方法が、ガス圧を利用したもの又は振動を利用したものである請求項１〜８のいずれか１項に記載の櫛付キャップ。
【請求項１０】
擬似増毛材を収納する容器の吐出部に装着されるブラシ付キャップであって、
前記容器の吐出部に装着され、且つ前記擬似増毛材の案内流路を形成するキャップ部と、前記キャップ部と連通したブラシ部とを備え、前記ブラシ部に多数のブラシ毛が立設され、且つ前記ブラシ毛の先端及び／又は両側面に少なくとも１つ以上の擬似増毛材を散布する散布口が開口形成され、前記ブラシ毛の内部に、前記案内流路から前記散布口へ連通する散布流路が形成されているブラシ付キャップ。
【請求項１１】
前記散布口の大きさが、直径換算で０．０１〜３０ｍｍである請求項１０に記載のブラシ付キャップ。
【請求項１２】
前記ブラシ毛の両側面に開口形成された散布口の角度が、被散布対象物に対して、１０〜１５０゜である請求項１０又は１１に記載のブラシ付キャップ。
【請求項１３】
前記ブラシ毛が、前記ブラシ部と一体及び／又は別体で植設されている請求項１０〜１２のいずれか１項に記載のブラシ付キャップ。
【請求項１４】
擬似増毛材を収納する容器の吐出部に装着されるブラシ付キャップであって、
前記容器の吐出部に装着され、且つ前記擬似増毛材の案内流路を形成するキャップ部と、前記キャップ部と連通したブラシ部とを備え、前記ブラシ部に多数のブラシ毛が立設され、且つ前記ブラシ毛の前記ブラシ部における対向空間部に、前記擬似増毛材を散布する散布口が開口形成されているブラシ付キャップ。
【請求項１５】
前記散布口の大きさが、直径換算で０．０１〜３０ｍｍである請求項１４に記載のブラシ付キャップ。
【請求項１６】
前記散布口が、前記ブラシ部に平坦及び／又は突出している請求項１４又は１５に記載のブラシ付キャップ。
【請求項１７】
前記散布口が、前記ブラシ部から０．０１〜４０ｍｍ突出している請求項１４〜１６のいずれか１項に記載のブラシ付キャップ。
【請求項１８】
前記ブラシ毛が、単毛又はブラシ毛束である請求項１４〜１７のいずれか１項に記載のブラシ付キャップ。
【請求項１９】
前記ブラシ毛束が、長いブラシ毛束と、短いブラシ毛束との少なくとも２種以上から構成される請求項１８に記載のブラシ付キャップ。
【請求項２０】
擬似増毛材を収納する容器の吐出部から擬似増毛材を散布する散布口までの擬似増毛材の供給方法が、ガス圧を利用したもの又は振動を利用したものである請求項１０〜１９のいずれか１項に記載のブラシ付キャップ。
【請求項２１】
請求項１０〜２０のいずれか１項に記載のブラシ付キャップを用いたヘアーブラシ。
【請求項２２】
多数のブラシ毛が配置されたブラシ部及び把持部から構成されたヘアーブラシであって、
前記ブラシ部に前記擬似増毛材を収容する収容部を有し、前記ブラシ毛の各々の前記ブラシ部における対向空間部に、前記擬似増毛材を散布する散布口が開口形成され、前記収容部から前記散布口に前記擬似増毛材を振動又は静電気により供給するヘアーブラシ。
【請求項２３】
前記散布口の大きさが、直径換算で０．０１〜３０ｍｍである請求項２２に記載のヘアーブラシ。
【請求項２４】
前記散布口が、前記ブラシ部に平坦及び／又は突出している請求項２２又は２３に記載のヘアーブラシ。
【請求項２５】
前記散布口が、前記ブラシ部から０．０１〜４０ｍｍ突出している請求項２２〜２４のいずれか１項に記載のヘアーブラシ。
【請求項２６】
前記ブラシ毛が、単毛又はブラシ毛束である請求項２２〜２５のいずれか１項に記載のヘアーブラシ。
【請求項２７】
前記ブラシ毛束が、長いブラシ毛束と、短いブラシ毛束との少なくとも２種以上から構成される請求項２６に記載のヘアーブラシ。
【請求項２８】
前記振動又は静電気の発生手段が、前記把持部に内蔵されている請求項２２〜２７のいずれか１項に記載のヘアーブラシ。
【請求項２９】
前記振動が、機械的振動又は超音波振動である請求項２２〜２８のいずれか１項に記載のヘアーブラシ。
【請求項３０】
多数のブラシ毛が配置されたブラシ部及び把持部から構成されたヘアーブラシであって、
前記ブラシ部に擬似増毛材を収容する収容部を有し、前記ブラシ毛の先端及び／又は両側面に少なくとも１つ以上の擬似増毛材を散布する散布口が開口形成され、前記収容部から前記散布口に前記擬似増毛材を振動又は静電気により供給するヘアーブラシ。
【請求項３１】
前記散布口の大きさが、直径換算で０．０１〜３０ｍｍである請求項３０に記載のヘアーブラシ。
【請求項３２】
前記ブラシ毛の両側面に開口形成された散布口の角度が、被散布対象物に対して、１０〜１５０゜である請求項３０又は３１に記載のヘアーブラシ。
【請求項３３】
前記ブラシ毛が、前記ブラシ部と一体化及び／又は別体で配設されている請求項３０〜３２のいずれか１項に記載のヘアーブラシ。
【請求項３４】
前記振動又は静電気の発生手段が、前記把持部に内蔵されている請求項３０〜３２のいずれか１項に記載のヘアーブラシ。
【請求項３５】
前記振動が、機械的振動又は超音波振動である請求項３０〜３３のいずれか１項に記載のヘアーブラシ。
【発明の詳細な説明】
【技術分野】
【０００１】
本発明は、擬似増毛材を、髪や頭皮に付着させ、頭部頭髪の薄くなった部分を増毛するために用いる櫛付キャップ、ブラシ付キャップ、並びにヘアーブラシに関する。
【背景技術】
【０００２】
従来、頭部における髪の薄い部分に増毛効果を得るためには、様々な方法があるが、そもそも髪が薄く見えるのは、実際に毛が抜け落ちる訳ではなく、徐々に毛髪の密度が薄くなり、髪の太さが細く短くなるといった薄毛化していることが主な原因とされている。
【０００３】
このため、局所的に頭部頭髪の薄くなった部分を一時的に増毛する簡便な方法としては、容器に設けた網孔を通じて疑似増毛材を、局所的に頭部頭髪の薄くなった部分に振り掛けた後、ブラッシングで地毛（髪）に馴染ませる増毛方法が開示されている（特許文献１参照）。
【０００４】
また、局所的に頭部頭髪の薄くなった部分を一時的に増毛する簡便な方法としては、ガス圧を利用して擬似増毛材を噴射する装置が開示されている（特許文献２及び特許文献３参照）。これらの装置は、噴射ガスを直接、擬似増毛材に噴射して、その噴射圧力により、拡散された擬似増毛材を吐出口から、局所的に頭部頭髪の薄くなった部分に、噴射し、髪や頭部に吹き付けるものである。
【０００５】
しかしながら、特許文献１〜３に示す増毛方法は、擬似増毛材の吐出量にムラが発生し易く、また、自分自身で擬似増毛材の散布を行った場合、局所的に頭部頭髪の薄くなった部分（特に、目視出来ない部分や髪の生え際等）に確実に振り掛けることが困難であり、作業性や増毛効果を十分に期待することができなかった。
【特許文献１】特公昭４８−４００３６号公報
【特許文献２】特開昭６２−２２５２６３号公報
【特許文献３】特公平６−２６６８４号公報
【発明の開示】
【発明が解決しようとする課題】
【０００６】
本発明は、上述した従来技術の問題点に鑑みてなされたものであり、その目的とするところは、擬似増毛材の吐出量のムラを抑制するとともに、自分自身で擬似増毛材の散布を行った場合であっても、局所的に頭部頭髪の薄くなった部分（特に、目視出来ない部分や髪の生え際等）に確実且つ容易に振り掛けることでき、作業性や増毛効果を十分に期待することができる櫛付キャップ、ブラシ付キャップ、並びにヘアーブラシを提供することにある。
【課題を解決するための手段】
【０００７】
上述の目的を達成するため、本発明は、以下の櫛付キャップ、ブラシ付キャップ、並びにヘアーブラシを提供するものである。
【０００８】
［１］  擬似増毛材を収納する容器の吐出部に装着される櫛付キャップであって、前記容器の吐出部に装着され、且つ前記擬似増毛材の案内流路を形成するキャップ部と、前記キャップ部と連通した櫛歯部とを備え、前記櫛歯部に多数の櫛歯が立設され、且つ前記櫛歯の先端及び／又は両側面に少なくとも１つ以上の擬似増毛材を散布する散布口が開口形成され、前記櫛歯の内部に、前記案内流路から前記散布口へ連通する散布流路が形成されている櫛付キャップ。
【０００９】
［２］  前記散布口の大きさが、直径換算で０．０１〜３０ｍｍである［１］に記載の櫛付キャップ。
【００１０】
［３］  櫛歯の両側面に開口形成された散布口の角度が、被散布対象物に対して、１０〜１５０゜である［１］又は［２］に記載の櫛付キャップ。
【００１１】
［４］  櫛歯が、櫛歯部と一体及び／又は別体で植設されている［１］〜［３］のいずれかに記載の櫛付キャップ。
【００１２】
［５］  擬似増毛材を収納する容器の吐出部に装着される櫛付キャップであって、前記容器の吐出部に装着され、且つ前記擬似増毛材の案内流路を形成するキャップ部と、前記キャップ部と連通した櫛歯部とを備え、前記櫛歯部に多数の櫛歯が立設され、且つ前記櫛歯の前記櫛歯部における対向空間部に、前記擬似増毛材を散布する散布口が開口形成されている櫛付キャップ。
【００１３】
［６］  散布口の大きさが、直径換算で０．０１〜３０ｍｍである［５］に記載の櫛付キャップ。
【００１４】
［７］  散布口が、櫛歯部に平坦及び／又は突出している［５］又は［６］に記載の櫛付キャップ。
【００１５】
［８］  散布口が、櫛歯部から０．０１〜４０ｍｍ突出している［５］〜［７］のいずれかに記載の櫛付キャップ。
【００１６】
［９］  擬似増毛材を収納する容器の吐出部から擬似増毛材を散布する散布口までの擬似増毛材の供給方法が、ガス圧を利用したもの又は振動を利用したものである［１］〜［８］のいずれかに記載の櫛付キャップ。
【００１７】
［１０］  擬似増毛材を収納する容器の吐出部に装着されるブラシ付キャップであって、
前記容器の吐出部に装着され、且つ前記擬似増毛材の案内流路を形成するキャップ部と、前記キャップ部と連通したブラシ部とを備え、前記ブラシ部に多数のブラシ毛が立設され、且つ前記ブラシ毛の先端及び／又は両側面に少なくとも１つ以上の擬似増毛材を散布する散布口が開口形成され、前記ブラシ毛の内部に、前記案内流路から前記散布口へ連通する散布流路が形成されているブラシ付キャップ。
【００１８】
［１１］  散布口の大きさが、直径換算で０．０１〜３０ｍｍである［１０］に記載のブラシ付キャップ。
【００１９】
［１２］  ブラシ毛の両側面に開口形成された散布口の角度が、被散布対象物に対して、１０〜１５０゜である［１０］又は［１１］に記載のブラシ付キャップ。
【００２０】
［１３］  ブラシ毛が、ブラシ部と一体及び／又は別体で植設されている［１０］〜［１２］のいずれかに記載のブラシ付キャップ。
【００２１】
［１４］  擬似増毛材を収納する容器の吐出部に装着されるブラシ付キャップであって、
前記容器の吐出部に装着され、且つ前記擬似増毛材の案内流路を形成するキャップ部と、前記キャップ部と連通したブラシ部とを備え、前記ブラシ部に多数のブラシ毛が立設され、且つ前記ブラシ毛の前記ブラシ部における対向空間部に、前記擬似増毛材を散布する散布口が開口形成されているブラシ付キャップ。
【００２２】
［１５］  散布口の大きさが、直径換算で０．０１〜３０ｍｍである［１４］に記載のブラシ付キャップ。
【００２３】
［１６］  散布口が、ブラシ部に平坦及び／又は突出している［１４］又は［１５］に記載のブラシ付キャップ。
【００２４】
［１７］  散布口が、ブラシ部から０．０１〜４０ｍｍ突出している［１４］〜［１６］のいずれかに記載のブラシ付キャップ。
【００２５】
［１８］  ブラシ毛が、単毛又はブラシ毛束である［１４］〜［１７］のいずれかに記載のブラシ付キャップ。
【００２６】
［１９］  ブラシ毛束が、長いブラシ毛束と、短いブラシ毛束との少なくとも２種以上から構成される［１８］に記載のブラシ付キャップ。
【００２７】
［２０］  擬似増毛材を収納する容器の吐出部から擬似増毛材を散布する散布口までの擬似増毛材の供給方法が、ガス圧を利用したもの又は振動を利用したものである［１０］〜［１９］のいずれかに記載のブラシ付キャップ。
【００２８】
［２１］  ［１０］〜［２０］のいずれかに記載のブラシ付キャップを用いたヘアーブラシ。
【００２９】
［２２］  多数のブラシ毛が配置されたブラシ部及び把持部から構成されたヘアーブラシであって、前記ブラシ部に前記擬似増毛材を収容する収容部を有し、前記ブラシ毛の各々の前記ブラシ部における対向空間部に、前記擬似増毛材を散布する散布口が開口形成され、前記収容部から前記散布口に前記擬似増毛材を振動又は静電気により供給するヘアーブラシ。
【００３０】
［２３］  散布口の大きさが、直径換算で０．０１〜３０ｍｍである［２２］に記載のヘアーブラシ。
【００３１】
［２４］  散布口が、ブラシ部に平坦及び／又は突出している［２２］又は［２３］に記載のヘアーブラシ。
【００３２】
［２５］  散布口が、ブラシ部から０．０１〜４０ｍｍ突出している［２２］〜［２４］のいずれかに記載のヘアーブラシ。
【００３３】
［２６］  ブラシ毛が、単毛又はブラシ毛束である［２２］〜［２５］のいずれかに記載のヘアーブラシ。
【００３４】
［２７］  ブラシ毛束が、長いブラシ毛束と、短いブラシ毛束との少なくとも２種以上から構成される［２６］に記載のヘアーブラシ。
【００３５】
［２８］  振動又は静電気の発生手段が、把持部に内蔵されている［２２］〜［２７］のいずれかに記載のヘアーブラシ。
【００３６】
［２９］  振動が、機械的振動又は超音波振動である［２２］〜［２８］のいずれかに記載のヘアーブラシ。
【００３７】
［３０］  多数のブラシ毛が配置されたブラシ部及び把持部から構成されたヘアーブラシであって、前記ブラシ部に擬似増毛材を収容する収容部を有し、前記ブラシ毛の先端及び／又は両側面に少なくとも１つ以上の擬似増毛材を散布する散布口が開口形成され、前記収容部から前記散布口に前記擬似増毛材を振動又は静電気により供給するヘアーブラシ。
【００３８】
［３１］  散布口の大きさが、直径換算で０．０１〜３０ｍｍである［３０］に記載のヘアーブラシ。
【００３９】
［３２］  ブラシ毛の両側面に開口形成された散布口の角度が、被散布対象物に対して、１０〜１５０゜である［３０］又は［３１］に記載のヘアーブラシ。
【００４０】
［３３］  ブラシ毛が、ブラシ部と一体化及び／又は別体で配設されている［３０］〜［３２］のいずれかに記載のヘアーブラシ。
【００４１】
［３４］  振動又は静電気の発生手段が、把持部に内蔵されている［３０］〜［３２］のいずれかに記載のヘアーブラシ。
【００４２】
［３５］  振動が、機械的振動又は超音波振動である［３０］〜［３３］のいずれかに記載のヘアーブラシ。
【発明の効果】
【００４３】
本発明の櫛付キャップ、ブラシ付キャップ、並びにヘアーブラシは、擬似増毛材の吐出量のムラを抑制するとともに、自分自身で擬似増毛材の散布を行った場合であっても、局所的に頭部頭髪の薄くなった部分（特に、目視出来ない部分や髪の生え際等）に確実且つ容易に振り掛けることでき、作業性や増毛効果を十分に期待することができる。
【発明を実施するための最良の形態】
【００４４】
以下、図面を参照して、本発明の櫛付キャップ、ブラシ付キャップ、並びにヘアーブラシについて詳細に説明するが、本発明は、これに限定されて解釈されるものではなく、本発明の範囲を逸脱しない限りにおいて、当業者の知識に基づいて、種々の変更、修正、改良を加え得るものである。
【００４５】
図１（ａ）は本発明の櫛付キャップの一例を示す概略斜視図、図１（ｂ）は図１（ａ）の要部断面図であり、図４は図１（ａ）に示す櫛付キャップの適用例の一例を示す説明図である。
【００４６】
本発明の櫛付キャップの一例は、例えば、図４に示すように、擬似増毛材が混入されたガスを収納する容器６０の吐出部６２に装着される櫛付キャップ１である。更に詳細には、図１（ａ）（ｂ）に示すように、容器６０の吐出部６２に装着され、且つ擬似増毛材が混入されたガスの案内流路４を形成するキャップ部３と、キャップ部３と連通した櫛歯部２とを備え、櫛歯部２に多数の突起物（櫛歯）１０が立設され、且つ櫛歯１０の先端及び両側面に少なくとも１つ以上（図１（ｂ）の場合、７つ）の擬似増毛材を散布する散布口１２，１４が開口形成され、突起物（櫛歯）１０の内部に、案内流路４から散布口１２，１４へ連通する散布流路６が形成されているものである。
【００４７】
このとき、図１（ｂ）に示す櫛付キャップは、櫛歯の先端に開口形成された散布口１２の大きさａが、直径換算で０．０１〜３０ｍｍ（より好ましくは、０．０１〜１０ｍｍ、更に好ましくは、０．５〜３ｍｍ）であり、櫛歯の両側面に開口形成された散布口１４の大きさｂが、直径換算で０．０１〜５ｍｍ（より好ましくは、０．０５〜３ｍｍ）であることが、擬似増毛材の吐出量のムラを抑制することができる点で好ましい。
【００４８】
また、図１（ｂ）に示す櫛付キャップは、突起物（櫛歯）１０の両側面に開口形成された散布口１４の角度θが、被散布対象物Ｘ（例えば、頭皮）に対して、１０〜１５０°（より好ましくは、４５〜９０゜）であることが、髪の生え際に擬似増毛材を適切に散布することができるため好ましい。
【００４９】
更に、図１（ａ）（ｂ）に示す櫛付キャップ１は、櫛歯部２に多数に立設された突起物（櫛歯）１０が、櫛歯部２と一体化及び／又は別体で植設されていてもよく、突起物（櫛歯）１０の長さＬは、３〜５０ｍｍ（より好ましくは、１０〜３０ｍｍ）であることが、作業性や増毛効果を考慮すると好ましい。
【００５０】
尚、本発明で用いる櫛歯は、頭皮を傷付けることを防止するため、櫛歯の先端部の形状に角をつけないことが好ましく、櫛歯を櫛歯部に別体で植設する場合、作業性が低下しない程度に、頭皮を傷付けることのないやわらかい素材（例えば、樹脂、シリコン、ゴム、天然素材等）を植設することがより好ましい。
【００５１】
また、本発明の櫛付キャップの他の例は、例えば、図２（ａ）（ｂ）に示すように、容器の吐出部に装着され、且つ擬似増毛材が混入されたガスの案内流路４を形成するキャップ部３と、キャップ部３と連通した櫛歯部２とを備え、櫛歯部２に多数の櫛歯２０が立設され、且つブラシ毛２５の櫛歯部２における対向空間部に、擬似増毛材を散布する突出した散布口３０が開口形成されているものである。尚、本発明の櫛付キャップの更に他の例は、図３（ａ）（ｂ）に示すように、櫛歯２０の櫛歯部２における対向空間部に、擬似増毛材を散布する櫛歯部２に平坦な散布口３２が開口形成されているものである。
【００５２】
このとき、図２（ｂ）に示す櫛付キャップは、突出した散布口の長さｈが、０．０１〜４０ｍｍ（より好ましくは、１〜２０ｍｍ、更に好ましくは、１〜１０ｍｍ）であることが、作業性や増毛効果を考慮すると好ましい。
【００５３】
また、図２（ｂ）及び図３（ｂ）に示す櫛付キャップは、散布口３０，３２の大きさａが、直径換算で０．０１〜３０ｍｍ（より好ましくは、０．０１〜１０ｍｍ、更に好ましくは、０．５〜３ｍｍ）であることが、擬似増毛材の吐出量のムラを抑制することができる点で好ましい。
【００５４】
尚、図２（ｂ）及び図３（ｂ）に示す櫛付キャップは、櫛歯部２に多数に立設された櫛歯２０が、ブラシ部２と一体及び／又は別体で植設されていてもよく、櫛歯２０の長さＬは、３〜５０ｍｍ（より好ましくは、１０〜３０ｍｍ）であることが、作業性や増毛効果を考慮すると好ましい。
【００５５】
図５（ａ）は本発明のブラシ付キャップの一例を示す概略斜視図、図５（ｂ）は図１（ａ）の要部断面図であり、図１２は図５（ａ）に示すブラシ付キャップの適用例の一例を示す説明図である。
【００５６】
本発明のブラシ付キャップの一例は、例えば、図１２に示すように、擬似増毛材が混入されたガスを収納する容器６０の吐出部６２に装着されるブラシ付キャップ１００である。図５（ａ）（ｂ）に示すように、容器６０の吐出部６２に装着され、且つ擬似増毛材が混入されたガスの案内流路４を形成するキャップ部３と、キャップ部３と連通したブラシ部１１０とを備え、ブラシ部１１０に多数の突起物（ブラシ毛）１０が立設され、且つ突起物（ブラシ毛）１０の先端及び両側面に少なくとも１つ以上（図５（ｂ）の場合、７つ）の擬似増毛材を散布する散布口１２，１４が開口形成され、突起物（ブラシ毛）１０の内部に、案内流路４から散布口１２，１４へ連通する散布流路６が形成されているものである。
【００５７】
このとき、図５（ｂ）に示すブラシ付キャップは、突起物（ブラシ毛）の先端に開口形成された散布口１２の大きさａが、直径換算で０．０１〜３０ｍｍ（より好ましくは、０．０１〜１０ｍｍ、更に好ましくは、０．５〜３ｍｍ）であり、突起物（ブラシ毛）１０の両側面に開口形成された散布口１４の大きさｂが、直径換算で０．０１〜５ｍｍ（より好ましくは、０．０５〜３ｍｍ）であることが、擬似増毛材の吐出量のムラを抑制することができる点で好ましい。
【００５８】
また、図５（ｂ）に示すブラシ付キャップは、突起物（ブラシ毛）１０の両側面に開口形成された散布口１４の角度θが、被散布対象物Ｘ（例えば、頭皮）に対して、１０〜１５０°（より好ましくは、４５〜９０゜）であることが、髪の生え際に擬似増毛材を適切に散布することができるため好ましい。
【００５９】
更に、図５（ａ）（ｂ）に示すブラシ付キャップは、ブラシ部１１０に多数に立設された突起物（ブラシ毛）１０が、ブラシ部１１０と一体化及び／又は別体で植設されていてもよく、突起物（ブラシ毛）１０の長さＬは、３〜５０ｍｍ（より好ましくは、１０〜３０ｍｍ）であることが、作業性や増毛効果を考慮すると好ましい。
【００６０】
本発明のブラシ付キャップの他の例は、例えば、図６（ａ）（ｂ）に示すように、容器の吐出部に装着され、且つ擬似増毛材が混入されたガスの案内流路４を形成するキャップ部３と、キャップ部３と連通したブラシ部１１０とを備え、ブラシ部１１０に多数のブラシ毛２５が立設され、且つブラシ毛２５のブラシ部１１０における対向空間部に、擬似増毛材を散布する突出した散布口３０が開口形成されているものである。尚、本発明のブラシ付キャップの更に他の例は、図７（ａ）（ｂ）に示すように、ブラシ毛２５のブラシ部１１０における対向空間部に、擬似増毛材を散布するブラシ部１１０に平坦な散布口３２が開口形成されているものである。
【００６１】
このとき、図６（ｂ）に示すブラシ付キャップは、突出した散布口３０の長さｈが、０．０１〜４０ｍｍ（より好ましくは、１〜２０ｍｍ、更に好ましくは、１〜１０ｍｍ）であることが、作業性や増毛効果を考慮すると好ましい。
【００６２】
また、図６（ｂ）及び図７（ｂ）に示すブラシ付キャップは、散布口３０，３２の大きさａが、直径換算で０．０１〜３０ｍｍ（より好ましくは、０．０１〜１０ｍｍ、更に好ましくは、０．５〜３ｍｍ）であることが、擬似増毛材の吐出量のムラを抑制することができる点で好ましい。
【００６３】
尚、図６（ｂ）及び図７（ｂ）に示すブラシ付キャップは、ブラシ部１１０に多数に立設されたブラシ毛２５が、ブラシ部１１０と一体及び／又は別体で植設されていてもよく、ブラシ毛２５の長さＬは、３〜５０ｍｍ（より好ましくは、１０〜３０ｍｍ）であることが、作業性や増毛効果を考慮すると好ましい。
【００６４】
更に、本発明のブラシ付キャップの更に他の例は、例えば、図８（ａ）（ｂ）に示すように、容器の吐出部に装着され、且つ擬似増毛材が混入されたガスの案内流路４を形成するキャップ部３と、キャップ部３と連通したブラシ部１１０とを備え、ブラシ部１１０に多数のブラシ毛束４０が立設され、且つブラシ毛束４０のブラシ部１１０における対向空間部に、擬似増毛材を散布する突出した散布口３０が開口形成されているものである。尚、本発明のブラシ付キャップの更に他の例は、図８（ａ）（ｂ）に示すように、ブラシ毛束４０のブラシ部１１０における対向空間部に、擬似増毛材を散布するブラシ部１１０に平坦な散布口３２が開口形成されているものである。
【００６５】
尚、図８（ａ）（ｂ）は、図６（ａ）（ｂ）のブラシ付キャップのブラシ毛２５をブラシ毛束４０に替えた以外、図９（ａ）（ｂ）は、図７（ａ）（ｂ）のブラシ付キャップのブラシ毛２５をブラシ毛束４０に替えた以外、基本構成が同じである。
【００６６】
このとき、図８（ｂ）及び図９（ｂ）に示すブラシ付キャップは、ブラシ部１１０に多数に立設されたブラシ毛束４０が、ブラシ部１１０に植設されていることが好ましく、ブラシ毛束４０の長さＬは、３〜５０ｍｍ（より好ましくは、１０〜３０ｍｍ）であることが、作業性や増毛効果を考慮すると好ましい。
【００６７】
次に、本発明のブラシ付キャップの別の例としては、例えば、図１０（ａ）（ｂ）に示すように、容器の吐出部に装着され、且つ擬似増毛材が混入されたガスの案内流路４を形成するキャップ部３と、キャップ部３と連通したブラシ部１１０とを備え、ブラシ部１１０に多数の長いブラシ毛束４１と短いブラシ毛束４２とが立設され、且つ長いブラシ毛束４１及び／又は短いブラシ毛束４２のブラシ部１１０における対向空間部に、擬似増毛材を散布する突出した散布口３０が開口形成されているものである。尚、本発明のブラシ付キャップの更に他の例は、図１１（ａ）（ｂ）に示すように、長いブラシ毛束４１及び／又は短いブラシ毛束４２のブラシ部１１０における対向空間部に、擬似増毛材を散布するブラシ部１１０に平坦な散布口３２が開口形成されているものである。
【００６８】
尚、図１０（ａ）（ｂ）は、図６（ａ）（ｂ）のブラシ付キャップのブラシ毛２５を長いブラシ毛束４１及び／又は短いブラシ毛束４２に替えた以外、図１１（ａ）（ｂ）は、図７（ａ）（ｂ）のブラシ付キャップのブラシ毛２５を長いブラシ毛束４１及び／又は短いブラシ毛束４２に替えた以外、基本構成が同じである。
【００６９】
このとき、図１０（ａ）（ｂ）及び図１１（ａ）（ｂ）に示すように、ブラシ毛束は、長いブラシ毛束４０と、短いブラシ毛束４２とが交互に立設されている。このとき、図１０（ｂ）及び図１１（ｂ）に示すように、長いブラシ毛束４１の長さＬ１は、３〜５０ｍｍ（より好ましくは、１０〜３０ｍｍ）であることが好ましく、短いブラシ毛束４２の長さＬ２は、１〜２０ｍｍ（より好ましくは、５〜１５ｍｍ）であることが好ましい。
【００７０】
尚、本発明の櫛付キャップ及びブラシ付キャップは、擬似増毛材を収納する容器の吐出部から擬似増毛材を散布する散布口までの擬似増毛材の供給方法が、ガス圧を利用したもの又は振動を利用したものであることが好ましい。
【００７１】
このとき、本発明の櫛付キャップ及びブラシ付キャップで用いるガスとしては、空気、窒素、二酸化炭素等の圧縮ガス、フロン系ガス、代替フロン系ガス、液化石油ガス、ジメチルエーテル等を使用することができる。上記液化石油ガスとしては、プロパン、ｎ−ブタン、イソブタン等が挙げられる。これらのガスは、単独あるいは二種以上を混合して使用することができるが、使用中の噴射圧力の低下が少なく、通常使用する温度領域において必要十分な噴射圧を呈するジメチルエーテルの単独使用がより好ましい。
【００７２】
図１３（ａ）は本発明のヘアーブラシの一例を示す概略斜視図、図１３（ｂ）は図１（ａ）の概略透視図、図１３（ｃ）は図１３（ａ）の要部断面図である。
【００７３】
本発明のヘアーブラシの一例は、例えば、図１３（ａ）〜（ｃ）に示すように、多数のブラシ毛４０が配置されたブラシ部１５０及び把持部１６０から構成されたヘアーブラシ２００であり、ブラシ部１５０に擬似増毛材７０を収容する収容部８０を有し、ブラシ毛４０の各々のブラシ部１５０における対向空間部に、擬似増毛材７０を散布する散布口３２が開口形成され、収容部８０から散布口３２に擬似増毛材７０を振動又は静電気により供給するものである。
【００７４】
このとき、本発明のヘアーブラシは、擬似増毛材が収容された収容部から散布口に擬似増毛材を振動又は静電気により供給されるが、その振動は、機械的に運動を発生する機械的振動発生手段や超音波を発生する超音波発生手段により得られることが好ましい。
【００７５】
例えば、機械的振動発生手段としては、図１３（ｂ）に示すように、モータ軸体に偏心して取り付けられた重り５３を有する振動モータ５４であることが好ましく、その振動モータ５４と振動モータ５４を駆動させるための電源５６及び振動モータ５４の電源をＯＮ／ＯＦＦするスイッチ５８とが把持部３に内蔵されていることがより好ましい。
【００７６】
また、擬似増毛材を静電気で供給する場合、擬似増毛材の散布を行う際に、人間の体を構成する細胞中の電気の流れ（生体電気）における帯電状態に応じて、擬似増毛材を散布する箇所に擬似増毛材が引き寄せられるように、擬似増毛材を静電気で帯電させることにより、擬似増毛材の収容部から散布口への誘導が容易であり、また擬似増毛材を散布する箇所まで、擬似増毛材を確実且つ容易に散布し、増毛することができるだけでなく、擬似増毛材を散布した箇所から擬似増毛材の剥離を抑制し、増毛効果を持続する効果が期待できる。
【００７７】
また、本発明のヘアーブラシのブラシ部における実施形態は、特に限定されることなく、以下に示す形態を好適に用いることができる。
【００７８】
本発明で用いるブラシ部の一例は、例えば、図１４（ａ）（ｂ）に示すように、多数の突起物（ブラシ毛）１０が所定の位置（例えば、千鳥状や格子状等）に配置され、且つ擬似増毛材を収容する収容部８０を対面に有するものであって、突起物（ブラシ毛）１０の先端及び両側面に少なくとも１つ以上（図１４（ｂ）の場合、７つ）の擬似増毛材を散布する散布口１２，１４が開口形成され、突起物（ブラシ毛）１０の内部に、案内流路４から散布口１２，１４へ連通する散布流路６が形成されているものである。
【００７９】
このとき、図１４（ｂ）に示すブラシ部１５０は、突起物（ブラシ毛）１０の先端に開口形成された散布口の大きさａが、直径換算で０．０１〜３０ｍｍ（より好ましくは、０．０１〜１０ｍｍ、更に好ましくは、０．５〜３ｍｍ）であり、突起物（ブラシ毛）１０の両側面に開口形成された散布口１４の大きさｂが、直径換算で０．０１〜５ｍｍ（より好ましくは、０．０５〜３ｍｍ）であることが、擬似増毛材の吐出量のムラを抑制することができる点で好ましい。
【００８０】
また、図１４（ｂ）に示すブラシ部１５０は、突起物（ブラシ毛）１０の両側面に開口形成された散布口１４の角度θが、被散布対象物Ｘ（例えば、頭皮）に対して、１０〜１５０°（より好ましくは、４５〜９０゜）であることが、髪の生え際に擬似増毛材を適切に散布することができるため好ましい。
【００８１】
更に、図１４（ｂ）に示すブラシ部１５０は、多数に立設された突起物（ブラシ毛）１０が、ブラシ部１５０と一体化及び／又は別体で植設されていてもよく、突起物（ブラシ毛）１０の長さＬは、３〜５０ｍｍ（より好ましくは、１０〜３０ｍｍ）であることが、作業性や増毛効果を考慮すると好ましい。
【００８２】
また、本発明で用いるブラシ部の他の例は、例えば、図１５（ａ）（ｂ）に示すように、多数のブラシ毛２５が所定の位置（例えば、千鳥状や格子状等）に配置され、且つ擬似増毛材を収容する収容部８０を対面に有するものであって、且つブラシ毛２５のブラシ部１５０における対向空間部に、擬似増毛材を散布する突出した散布口３０が開口形成されているものである。尚、本発明で用いるブラシ部の更に他の例は、図１６（ａ）（ｂ）に示すように、ブラシ毛２５のブラシ部１５０における対向空間部に、擬似増毛材を散布するブラシ部１５０に平坦な散布口３２が開口形成されているものである。
【００８３】
このとき、図１５（ｂ）に示すブラシ部１５０は、突出した散布口３０の長さｈが、０．０１〜４０ｍｍ（より好ましくは、１〜２０ｍｍ、更に好ましくは、１〜１０ｍｍ）であることが、作業性や増毛効果を考慮すると好ましい。
【００８４】
また、図１５（ｂ）及び図１６（ｂ）に示すブラシ部１５０は、散布口３０，３２の大きさａが、直径換算で０．０１〜３０ｍｍ（より好ましくは、０．０１〜１０ｍｍ、更に好ましくは、０．５〜３ｍｍ）であることが、擬似増毛材の吐出量のムラを抑制することができる点で好ましい。
【００８５】
尚、図１５（ｂ）及び図１６（ｂ）に示すブラシ部１５０は、多数に立設されたブラシ毛２５が、ブラシ部１５０と一体及び／又は別体で植設されていてもよく、ブラシ毛２５の長さＬは、３〜５０ｍｍ（より好ましくは、１０〜３０ｍｍ）であることが、作業性や増毛効果を考慮すると好ましい。
【００８６】
更に、本発明で用いるブラシ部の更に他の例は、例えば、図１７（ａ）（ｂ）に示すように、多数のブラシ毛束４０が所定の位置（例えば、千鳥状や格子状等）に配置され、且つ擬似増毛材を収容する収容部８０を対面に有するものであって、且つブラシ毛束４０のブラシ部１５０における対向空間部に、擬似増毛材を散布する突出した散布口３０が開口形成されているものである。尚、本発明で用いるブラシ部の更に他の例は、図１８（ａ）（ｂ）に示すように、ブラシ毛束４０のブラシ部１５０における対向空間部に、擬似増毛材を散布するブラシ部１５０に平坦な散布口３２が開口形成されているものである。
【００８７】
尚、図１７（ａ）（ｂ）は、図１５（ａ）（ｂ）のブラシ部２のブラシ毛２５をブラシ毛束４０に替えた以外、図１８（ａ）（ｂ）は、図１６（ａ）（ｂ）のブラシ部１５０のブラシ毛２５をブラシ毛束４０に替えた以外、基本構成が同じである。
【００８８】
このとき、図１７（ｂ）及び図１８（ｂ）に示すブラシ部１５０は、ブラシ部１５０に多数に立設されたブラシ毛束４０が、ブラシ部１５０に植設されていることが好ましく、ブラシ毛束４０の長さＬは、３〜５０ｍｍ（より好ましくは、１０〜３０ｍｍ）であることが、作業性や増毛効果を考慮すると好ましい。
【００８９】
次に、本発明で用いるブラシ部の別の例としては、例えば、図１９（ａ）（ｂ）に示すように、多数の長いブラシ毛束４１と短いブラシ毛束４２とが所定の位置（例えば、千鳥状や格子状等）に配置され、且つ擬似増毛材を収容する収容部８０を対面に有するものであって、且つ長いブラシ毛束４１及び／又は短いブラシ毛束４２のブラシ部１５０における対向空間部に、擬似増毛材を散布する突出した散布口３０が開口形成されているものである。尚、本発明で用いるブラシ部の更に他の例は、図２０（ａ）（ｂ）に示すように、長いブラシ毛束４１及び／又は短いブラシ毛束４２のブラシ部１５０における対向空間部に、擬似増毛材を散布するブラシ部１５０に平坦な散布口３２が開口形成されているものである。
【００９０】
尚、図１９（ａ）（ｂ）は、図１５（ａ）（ｂ）のブラシ部１５０のブラシ毛２５を長いブラシ毛束４１及び／又は短いブラシ毛束４２に替えた以外、図２０（ａ）（ｂ）は、図１６（ａ）（ｂ）のブラシ部１５０のブラシ毛２５を長いブラシ毛束４１及び／又は短いブラシ毛束４２に替えた以外、基本構成が同じである。
【００９１】
このとき、図１９（ａ）（ｂ）及び図２０（ａ）（ｂ）に示すように、ブラシ毛束は、長いブラシ毛束４０と、短いブラシ毛束４２とが交互に立設されている。
【００９２】
尚、図１９（ｂ）及び図２０（ｂ）に示すように、長いブラシ毛束４１の長さＬ１は、３〜５０ｍｍ（より好ましくは、１０〜３０ｍｍ）であることが好ましく、短いブラシ毛束４２の長さＬ２は、１〜２０ｍｍ（より好ましくは、５〜１５ｍｍ）であることが好ましい。
【００９３】
ここで、本発明で用いるブラシ毛は、単毛またはブラシ毛束であることが好ましく、頭皮を傷付けることを防止するため、ブラシ毛の先端部の形状に角をつけないことが好ましく、ブラシ毛をブラシ部に別体で植設する場合、作業性が低下しない程度に、頭皮を傷付けることのないやわらかい素材（例えば、樹脂、シリコン、ゴム、天然素材等）を植設することがより好ましい。
【００９４】
また、本発明のブラシ付キャップ及びヘアーブラシで用いるブラシ毛束は、長いブラシ毛束と、短いブラシ毛束との少なくとも２種以上（例えば、２〜４種）から構成されているとともに、長いブラシ毛束と、短いブラシ毛束とを交互に立設させたり、所定の段差（例えば、２〜４段階）になるように立設することにより、髪を掻き分けすぎずに、うまく擬似増毛材を髪に馴染ませることができ、ブラッシング後の仕上がり感の向上や例えば、毛のボリューム感の向上といった増毛効果をより促進することができる。
【００９５】
尚、本発明で用いる擬似増毛材は、粉状又は短繊維状であり、例えば、人毛、羊毛、木綿、絹等の天然繊維又はその再生繊維、ナイロン、ビニロン、ポリエステル等の合成繊維又は炭素繊維等の素材から構成されている。これら各種の繊維は、そのまま、あるいは、適宜、人毛色に類似した黒色等の色彩等に着色されて用いられる。また、各繊維は、一種を単独で用いても良く、二種以上を組み合わせて用いることもできる。
【００９６】
また、上記擬似増毛材は、直径（光学顕微鏡観察による平均値）５〜１２０ミクロン、長さ１０〜２０００ミクロンのものが好適に使用される。なお、上記の範囲に長さを整えるには、公知の方法であるギロチンカッターを用いて所定の長さにカットする方法や、粉砕機で粉砕してふるい分けする方法等がある。また、長さは一定にそろえることは必須条件ではなく、上記１０〜２０００ミクロン程度の範囲内であれば分布を有していても差し支えない。
【００９７】
更に、上記擬似増毛材は、その分離性を向上させて繊維の飛昇を良好にさせる目的として、擬似増毛材のそれぞれの素材に応じて公知の分離促進剤で処理することができる。上記分離促進剤としては、特に限定されないが、珪酸ナトリウム、硫酸マグネシウム、塩化ナトリウム、硫酸ナトリウム、塩化マグネシウム等の無機塩類、アニオン活性剤、カチオン活性剤、両性活性剤等の界面活性剤、コロイダルシリカ等の有機珪素化合物、アルミナゾルが挙げられる。
【産業上の利用可能性】
【００９８】
本発明の櫛付キャップ、ブラシ付キャップ、並びにヘアーブラシは、自分自身で擬似増毛材の散布を行った場合であっても、局所的に頭部頭髪の薄くなった部分（特に、目視出来ない部分や髪の生え際等）に確実且つ容易に振り掛けることでき、作業性や増毛効果を十分に期待することができる。
【図面の簡単な説明】
【００９９】
【図１（ａ）】本発明の櫛付キャップの一例を示す概略斜視図である。
【図１（ｂ）】図１（ａ）の要部断面図である。
【図２（ａ）】本発明の櫛付キャップの他の例（１）を示す概略斜視図である。
【図２（ｂ）】図２（ａ）の要部断面図である。
【図３（ａ）】本発明の櫛付キャップの他の例（２）を示す概略斜視図である。
【図３（ｂ）】図３（ａ）の要部断面図である。
【図４】図１（ａ）に示す櫛付キャップの適用例の一例を示す説明図である。
【図５（ａ）】本発明のブラシ付キャップの一例を示す概略斜視図である。
【図５（ｂ）】図５（ａ）の要部断面図である。
【図６（ａ）】本発明のブラシ付キャップの他の例（１）を示す概略斜視図である。
【図６（ｂ）】図６（ａ）の要部断面図である。
【図７（ａ）】本発明のブラシ付キャップの他の例（２）を示す概略斜視図である。
【図７（ｂ）】図７（ａ）の要部断面図である。
【図８（ａ）】本発明のブラシ付キャップの更に他の例（１）を示す概略斜視図である。
【図８（ｂ）】図８（ａ）の要部断面図である。
【図９（ａ）】本発明のブラシ付キャップの更に他の例（２）を示す概略斜視図である。
【図９（ｂ）】図８（ａ）の要部断面図である。
【図１０（ａ）】本発明のブラシ付キャップの別の例（１）を示す概略斜視図である。
【図１０（ｂ）】図１０（ａ）の要部断面図である。
【図１１（ａ）】本発明のブラシ付キャップの別の例（２）を示す概略斜視図である。
【図１１（ｂ）】図１１（ａ）の要部断面図である。
【図１２】図５（ａ）に示すブラシ付キャップの適用例の一例を示す説明図である。
【図１３（ａ）】本発明のヘアーブラシの一例を示す概略斜視図である。
【図１３（ｂ）】図１３（ａ）の概略透視図である。
【図１３（ｃ）】図１３（ａ）の要部断面図である。
【図１４（ａ）】本発明で用いるブラシ部の一例を示す概略斜視図である。
【図１４（ｂ）】図１４（ａ）の要部断面図である。
【図１５（ａ）】本発明で用いるブラシ部の他の例（１）を示す概略斜視図である。
【図１５（ｂ）】図１５（ａ）の要部断面図である。
【図１６（ａ）】本発明で用いるブラシ部の他の例（２）を示す概略斜視図である。
【図１６（ｂ）】図１６（ａ）の要部断面図である。
【図１７（ａ）】本発明で用いるブラシ部の更に他の例（１）を示す概略斜視図である。
【図１７（ｂ）】図１７（ａ）の要部断面図である。
【図１８（ａ）】本発明で用いるブラシ部の更に他の例（２）を示す概略斜視図である。
【図１８（ｂ）】図１８（ａ）の要部断面図である。
【図１９（ａ）】本発明で用いるブラシ部の別の例（１）を示す概略斜視図である。
【図１９（ｂ）】図１９（ａ）の要部断面図である。
【図２０（ａ）】本発明で用いるブラシ部の別の例（２）を示す概略斜視図である。
【図２０（ｂ）】図２０（ａ）の要部断面図である。
【符号の説明】
【０１００】
１：櫛付キャップ、２：櫛歯部、３：キャップ部、４：案内流路、６：散布流路、１０：突起物（櫛歯又はブラシ毛）、１２，１４：散布口、２０：櫛歯、２５：ブラシ毛、３０：突出した散布口、３２：平坦な散布口、４０：ブラシ毛束、４１：長いブラシ毛束、４２：短いブラシ毛束、５３：重り、５４：振動モータ、５６：電源、５８：スイッチ、６０：容器、６２：容器の吐出部、７０：擬似増毛材、８０：収容部、１００：ブラシ付キャップ、１１０，１５０：ブラシ部、１６０：把持部、２００：ヘアーブラシ。
【図１（ａ）】
2007175371.tif 000003
【図１（ｂ）】
2007175371.tif 000004
【図２（ａ）】
2007175371.tif 000005
【図２（ｂ）】
2007175371.tif 000006
【図３（ａ）】
2007175371.tif 000007
【図３（ｂ）】
2007175371.tif 000008
【図４】
2007175371.tif 000009
【図５（ａ）】
2007175371.tif 000010
【図５（ｂ）】
2007175371.tif 000011
【図６（ａ）】
2007175371.tif 000012
【図６（ｂ）】
2007175371.tif 000013
【図７（ａ）】
2007175371.tif 000014
【図７（ｂ）】
2007175371.tif 000015
【図８（ａ）】
2007175371.tif 000016
【図８（ｂ）】
2007175371.tif 000017
【図９（ａ）】
2007175371.tif 000018
【図９（ｂ）】
2007175371.tif 000019
【図１０（ａ）】
2007175371.tif 000020
【図１０（ｂ）】
2007175371.tif 000021
【図１１（ａ）】
2007175371.tif 000022
【図１１（ｂ）】
2007175371.tif 000023
【図１２】
2007175371.tif 000024
【図１３（ａ）】
2007175371.tif 000025
【図１３（ｂ）】
2007175371.tif 000026
【図１３（ｃ）】
2007175371.tif 000027
【図１４（ａ）】
2007175371.tif 000028
【図１４（ｂ）】
2007175371.tif 000029
【図１５（ａ）】
2007175371.tif 000030
【図１５（ｂ）】
2007175371.tif 000031
【図１６（ａ）】
2007175371.tif 000032
【図１６（ｂ）】
2007175371.tif 000033
【図１７（ａ）】
2007175371.tif 000034
【図１７（ｂ）】
2007175371.tif 000035
【図１８（ａ）】
2007175371.tif 000036
【図１８（ｂ）】
2007175371.tif 000037
【図１９（ａ）】
2007175371.tif 000038
【図１９（ｂ）】
2007175371.tif 000039
【図２０（ａ）】
2007175371.tif 000040
【図２０（ｂ）】
2007175371.tif 000041